(57)【特許請求の範囲】
【請求項１】
複写機で複写されるとドットが明瞭化するように再現される潜像部と、複写機で複写されるとドットが見えにくくなる或いは見えなくなるように再現される背景部とを含み、両部の平均濃度がほぼ同じである地紋画像を背景として画像に埋め込んで記録媒体に形成する画像形成装置であって、
感光体の表面を帯電する帯電手段と、
前記帯電手段により帯電された前記感光体の表面を露光して静電潜像を形成する露光手段と、
前記感光体上に形成された前記静電潜像を現像剤で現像する現像手段と、
前記現像手段により現像された画像を前記記録媒体に転写する転写手段と、
前記感光体の膜厚に応じたパラメータを検出する第１の検出手段と、
前記現像剤の劣化状態に応じたパラメータを検出する第２の検出手段と、
前記第１の検出手段により検出された前記感光体の膜厚に応じたパラメータ及び前記第２の検出手段により検出された前記現像剤の劣化状態に応じたパラメータに基づいて、前記地紋画像の前記潜像部及び前記背景部を形成する条件を調整する調整手段と、
を備え、
前記調整手段は、前記感光体の膜厚に応じたパラメータに基づいて、前記感光体の膜厚が薄くなるほど前記背景部の画素密度を大きくし、前記現像剤の劣化状態に応じたパラメータに基づいて、前記現像剤の劣化に応じた前記背景部の濃度の変動を打ち消すように、前記複写機で複写される際に前記背景部のドットが見えにくくなる或いは見えなくなるように再現されるような前記背景部の画素密度に変更することを特徴とする画像形成装置。
【請求項２】
前記第１の検出手段は、前記感光体の膜厚に応じたパラメータとして、前記帯電手段に所定のバイアスを印加することにより生じる直流電流値を検出することを特徴とする請求項１に記載の画像形成装置。
【請求項３】
前記第２の検出手段は、前記現像剤の劣化状態に応じたパラメータとして、前記現像手段に含まれる現像剤担持体の積算回転数を検出することを特徴とする請求項１に記載の画像形成装置。
【請求項４】
前記調整手段は、前記第１及び第２の検出手段による検出結果を参照して、地紋画像の画素密度を変化させることを特徴とする請求項１に記載の画像形成装置。
【請求項５】
前記画像形成が行われる環境として、前記画像形成装置の周囲の温度及び湿度を検出する第３の検出手段を更に有することを特徴とする請求項１に記載の画像形成装置。
【請求項６】
環境に応じた複数の調整用のデータベースを更に有し、
前記調整手段は、前記調整を実行するにあたり、前記第３の検出手段により検出された環境に応じて前記複数の調整用のデータベースの中から参照するデータベースを選択することを特徴とする請求項５に記載の画像形成装置。
【発明の詳細な説明】
【技術分野】
【０００１】
本発明は、地紋画像を付加して像形成する技術に関する。
【背景技術】
【０００２】
従来から、文書を印刷する場合に、印刷される文書の画像の背景に地紋画像を形成する技術が知られている。この技術は、例えば、重要な文書の不正な複製を抑止する目的で利用される。領収書や証券や証明書などの文書の背景に予め特殊な模様を埋め込み、画像形成すると背景に「複製」などの文字や画像（以降、潜像と呼ぶ）が浮かび上がるようになっている。このように背景に埋め込まれている画像は、一般に「地紋画像」と呼ばれ、原本の複写を抑止する効果などを実現する。
【０００３】
地紋画像は、画像形成後にドットが明瞭化する領域（潜像部）と、画像形成後にドットが見えにくくなる或いは見えなくなる領域（背景部）とを含む。潜像部のドット密度は、背景部のドット密度よりも高く構成されているが、これら２つの領域の画像の平均濃度はほぼ同じである。従って、一見すると文字や画像が隠れていることは分からない。
【０００４】
一般的に、画像形成装置は、原稿の微小なドットを読み取る入力解像度や微小なドットを再現する出力解像度に依存した画像再現能力の限界が存在する。したがって、複写機の画像再現能力の限界を超えた孤立した微小なドットが原稿中に存在すると、その複写物では微小なドットが完全には再現されない。
【０００５】
つまり、地紋画像の背景部のドット１つ１つが複写機の画像再現能力の限界を超えた小ささで作成されている場合、高いドット密度となっている部分は、印刷物を原稿として複写した場合、複写抑止地紋の大きなドットとして再現される。しかし、低いドット密度の部分は、それぞれの小さなドットが再現できず、消えてしまう。したがって、画像形成後、隠された画像（潜像）が浮かび上がる現象が起きる。
【０００６】
また、画像形成により分散したドットが完全に消えなくとも、集中したドットと比較して明らかに画像形成後の濃度差があるような場合にも、隠された画像（潜像）が浮かび上がる。
【０００７】
以上のような地紋画像を形成する技術は以前から存在していたが、近年、ソフトウェアやレーザプリンタ等の画像形成装置における技術の向上により、容易に、地紋画像が背景に配置された文書を出力する技術が実現されている（例えば、特許文献１参照）。
【０００８】
この地紋画像の出力方法では、必要な時に必要な枚数だけ普通紙を用いて背景に地紋画像が配置された文書を印刷できる。また、利用者が任意の文字や画像を潜像として地紋画像に埋め込むことができる。従来から使われている会社のロゴや禁複写等の文字だけでなく、例えば出力プリンタを識別するシリアル番号やＩＰアドレス、プリント命令を発行したコンピュータを識別するコンピュータ名やＩＰアドレスを潜像として地紋画像に埋め込むことができる。更には、プリント命令を発行したユーザのユーザ名やログイン名、印刷処理を識別するためのプリントジョブ番号、印刷日時、印刷場所、電子文書のファイル名など様々な情報を埋め込むこともでき、より高度な追跡機能を実現できる。
【特許文献１】特開２００１−１９７２９７号公報
【発明の開示】
【発明が解決しようとする課題】
【０００９】
しかしながら、上述した地紋画像の出力方法においては、プリントエンジン特性（特にドラム感度）の変化、印刷環境（温度や湿度）や出力する用紙（メディア）等の状態に依存して、潜像部の濃度と背景部の濃度が変動する。
【００１０】
したがって、地紋画像の潜像部及び背景部との印刷濃度がほぼ等しくなり、かつ地紋画像が形成された用紙を原稿とした画像形成後に潜像部が浮かび上がるように地紋画像の潜像部と背景部の濃度を適切に調整する地紋用のキャリブレーションが必要になる。
【００１１】
そこで従来は、文書と地紋画像を合成する前に、潜像部と背景部の一方又は双方を、最終的に得られる潜像部と背景部の濃度の差が視覚的に分りづらい程度に少しずつ濃度変化させ、濃度を変えて試し刷りを複数回実行していた。そして、印刷時に潜像部と背景部の濃度がほぼ等しくなり、ターゲットとなる複写機で複写した後に潜像が浮かび上がる地紋画像を、視覚的に見つける作業が必要だった。特に、印刷環境の変化や耐久に依存する濃度変動幅が大きなプリンタの場合、最適な地紋画像を見つけるために必要な地紋濃度形成条件の組み合わせは非常に多く、試し刷りに多数の紙及び時間を要していた。
【００１２】
本発明は、上記従来技術の課題を解決するためになされたもので、その目的とするところは、環境に応じて地紋画像を適正に出力することにある。
【課題を解決するための手段】
【００１３】
上記目的を達成するため、本発明に係る装置は、
複写機で複写されるとドットが明瞭化するように再現される潜像部と、複写機で複写されるとドットが見えにくくなる或いは見えなくなるように再現される背景部とを含み、両部の平均濃度がほぼ同じである地紋画像を背景として画像に埋め込んで記録媒体に形成する画像形成装置であって、
感光体の表面を帯電する帯電手段と、
前記帯電手段により帯電された前記感光体の表面を露光して静電潜像を形成する露光手段と、
前記感光体上に形成された前記静電潜像を現像剤で現像する現像手段と、
前記現像手段により現像された画像を前記記録媒体に転写する転写手段と、
前記感光体の膜厚に応じたパラメータを検出する第１の検出手段と、
前記現像剤の劣化状態に応じたパラメータを検出する第２の検出手段と、
前記第１の検出手段により検出された前記感光体の膜厚に応じたパラメータ及び前記第２の検出手段により検出された前記現像剤の劣化状態に応じたパラメータに基づいて、前記地紋画像の前記潜像部及び前記背景部を形成する条件を調整する調整手段と、
を備え、
前記調整手段は、前記感光体の膜厚に応じたパラメータに基づいて、前記感光体の膜厚が薄くなるほど前記背景部の画素密度を大きくし、前記現像剤の劣化状態に応じたパラメータに基づいて、前記現像剤の劣化に応じた前記背景部の濃度の変動を打ち消すように、前記複写機で複写される際に前記背景部のドットが見えにくくなる或いは見えなくなるように再現されるような前記背景部の画素密度に変更することを特徴とする。
【発明の効果】
【００１６】
本発明によれば、感光体の膜厚が経時変化したり、現像剤が劣化した場合であっても、地紋画像を適正に出力することができる。
【発明を実施するための最良の形態】
【００１７】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１８】
（第１実施形態）
［画像形成装置例の概略構成］
図１は本実施の形態の画像形成装置の概略構成図である。ここでは、画像形成装置として、転写式電子写真プロセスを使用した、接触帯電方式、反転現像方式のレーザビームプリンタについて説明する。このレーザビームプリンタは、記録媒体の表面に地紋画像を形成する画像形成手段を備えている。以下、画像形成手段の各構成部分について、分けて説明する。
【００１９】
［帯電部］
１は静電潜像を担持するための像担持体としての回転ドラム型の電子写真感光体（以下、感光体と略記する）である。感光体１は、例えば、アルミニウム等の導電性ドラム基体と、その外周面に形成した感光層（光導電層）で構成した、直径３０ｍｍ、長さ３５０ｍｍの、負帯電極性のＯＰＣ感光体（ネガ感光体）である。また、感光体１は、例えば、矢印の方向に１５０ｍｍ／ｓｅｃのプロセススピード（周速度）をもって回転駆動されている。ここで感光体１の感光層の厚み(膜厚)は、初期状態では３０μｍであるものとする。
【００２０】
２は像担持体の表面を帯電するための帯電手段としての帯電ローラである。この帯電ローラ２は中心の芯金と、その外周に同心一体にローラ状に形成した弾性導電層と、更にその外周面に形成した抵抗層とを含む、複合層構造のローラである。弾性導電層は、例えば、１０4Ωｃｍ以下の導電性ゴム（ＥＰＤＭ等）などの単層あるいは複合層である。抵抗層は１０7〜１０11Ωｃｍ、厚さ１００μｍ程度以下のヒドリンゴムやトレジン（商品名、ナイロン樹脂、カーボン分散）等の単層あるいは複合層である。抵抗層は感光体へのリーク防止や弾性導電層中の可塑剤のブリード防止等の役目をする。
【００２１】
帯電ローラ２はその芯金の両端部を不図示の軸受け部材に回転自由に軸受けさせて、ドラム型の感光体１に並行に配置して不図示の押圧手段で感光体１に対して所定の押圧力をもって圧接させる。本例の場合は感光体１の回転駆動に伴い矢印の反時計方向に従動回転する。感光体１と帯電ローラ２の圧接ニップ部ｎが帯電部位（帯電領域）である。
【００２２】
３は帯電バイアス印加電源（帯電部材用電源）であり、この電源３から帯電ローラ２の芯金に所定のバイアス電圧が印加されることにより感光体１の外周面が接触帯電方式で所定の極性・電位に一様に帯電処理される。
【００２３】
本実施の形態は交流電圧に直流電圧を重畳したバイアス電圧（ＡＣ＋ＤＣ）を帯電ローラ２に印加するＡＣ印加方式である。帯電制御ユニットＳ１により、印加される帯電バイアスは制御される。なお、帯電制御ユニットＳ１は、各種データベースを考慮して中央制御ユニット５０より制御される。
【００２４】
ＡＣ電流成分は、感光体１、及び帯電ローラ２が初期の状態で帯電均一性を確保できる様に設定されている。本実施の形態においては、感光体１の表面を均一帯電処理するに当たり、
直流電圧成分：−７５０Ｖの定電圧
交流電流成分：周波数１８００Ｈｚ、１５００μＡ、の定電流制御
を帯電ローラ２に印加することで、感光体１の表面電位（帯電電位、暗電位）として−７３０Ｖを得ることができる。
【００２５】
本実施形態に係る帯電した像担持体としての感光体１の表面に露光して、感光体１の表面に静電潜像を生成する露光手段として、レーザ駆動部５を備えている。レーザ駆動部５は、画像データを入力し、感光体１の帯電処理面に対して、入力した画像データに応じた露光を行なう。これにより、感光体１の表面に、画像データに応じた静電潜像が形成される。レーザ駆動部５は、回転する６面体のポリゴンミラー（不図示）に対してレーザビームを走査する。なお、レーザ駆動部５は、中央制御ユニット５０と接続されており、中央制御ユニット５０は、種々の条件に応じて露光条件を調節することができる。
【００２６】
［現像部］
現像スリーブ６は、現像剤を収容する収容部４３を有し、収容した現像剤を用いて、像担持体としての感光体１の表面に生成された静電潜像を現像する現像手段である。ここでは、静電潜像の露光明部にマイナストナー（ネガトナー）を付着させることで静電潜像を反転現像する。収容部４３からのトナー補給の制御は、トナー補給制御ユニットＳ３が補給ローラ４４の回転数を制御することにより行われる。
【００２７】
現像スリーブ６は、感光体１に０．３ｍｍのギャップを介して対向配設された非磁性の現像剤担持体としての現像スリーブ６ａと、現像スリーブ６ａを反時計方向に回転駆動する不図示のモータとを含む。
【００２８】
現像スリーブ６ａの外周面には、収容部４３に収容されたトナーが薄層として塗布され、マグネットローラの磁力で保持されて、感光体１と現像スリーブ６ａとの対向部である現像部位に搬送される。また現像スリーブ６ａには現像制御ユニットＳ４から、本実施の形態においては
ＤＣ成分：−５００Ｖ
ＡＣ成分：周波数１８００Ｈｚ、ＶＰＰ１４００Ｖ
の重畳電圧が現像バイアス電圧として印加される。なお、中央制御ユニット５０は、トナー補給制御ユニットＳ３と現像制御ユニットＳ４とを制御する。現像バイアスが印加されることにより、現像部位においてトナーが飛翔して感光体１面の静電潜像が現像される。
【００２９】
［転写］
７は感光体１の表面に担持されたトナー画像を記録媒体としての記録紙に転写する転写手段としての転写ローラである。この転写ローラ７は、中心の芯金と、その外周に同心一体にローラ状に形成した中抵抗の弾性層とからなる。本実施形態における転写ローラ７は、抵抗が５×１０８Ω、直径１６ｍｍの導電性ゴムローラである。
【００３０】
そして転写ローラ７はその芯金の両端部を不図示の軸受け部材に回転自由に軸受けさせて、ドラム型の感光体１に並行に配置して不図示の押圧手段で感光体１に対して所定の押圧力をもって圧接させてある。このため感光体１の回転駆動に伴い矢印の反時計方向に従動回転する。感光体１と転写ローラ７の圧接ニップ部が転写部位である。
【００３１】
記録紙は不図示の給紙部から給紙され、所定のタイミングで、感光体１と転写ローラ７の圧接ニップ部である転写部位に給送される。即ち、感光体１の面に形成されたトナー画像の先端部が転写部位に到達したとき、記録紙の先端部も丁度転写部位に到達するタイミングにて記録紙が転写部位に給送される。
【００３２】
転写部位に給送された記録紙はその表面が感光体１に密着して転写部位を挟持搬送されていく。また、転写部位に記録紙の先端部が到達してから後端部が転写部位を抜け出るまでの間、転写ローラ７の芯金には転写バイアス印加電源（転写部材用電源）からトナーと逆極性の所定の直流バイアスが転写バイアスとして印加される。本実施の形態では＋３５００ＶのＤＣ電圧を印加する。転写ローラ７に対して印加する電圧は、転写制御ユニットＳ５によって制御される。転写制御ユニットＳ５は、中央制御ユニット５０と接続されており、中央制御ユニット５０によって制御される。
【００３３】
そして、記録紙が転写部位を挟持搬送されていく過程において、感光体１側のトナー画像が記録紙側に、転写ローラ７によって形成される転写電界の作用と転写部位における押圧力にて順次に転写されていく。
【００３４】
［定着］
転写ローラ７を通過し、感光体１面から分離された記録紙は不図示の定着装置へ搬送されてトナー画像が定着され、その後装置本体外部に排出されるか、又は例えば、裏面にも像形成するものであれば、転写部位への再搬送手段へ搬送される。
【００３５】
［クリーニング］
９は、クリーニング装置であり、クリーニングブレードを用いて、記録紙に転写されずに感光体１面に残ったトナー（転写残りトナー）や紙粉等の残留付着汚染物の除去を行なう。
【００３６】
［環境検知］
４２は、環境センサであり、画像形成手段の周囲の環境として、温度、湿度を検出する。ここで、環境センサ４２の検出結果はセンサ制御ユニットＳ２を介して、中央制御ユニット５０に送られる。
【００３７】
帯電制御ユニットＳ１、センサ制御ユニットＳ２、トナー補給制御ユニットＳ３、現像制御ユニットＳ４、転写制御ユニットＳ５は、画像形成手段の状態を検出する検出手段として機能する。中央制御ユニット５０は、検出手段が検出した画像形成手段の状態に応じて、地紋画像を形成する条件を調整する調整手段として機能する。
【００３８】
（２）画像データの制御
画像データ（６００ｄｐｉ、２５６階調）が所定の変換テーブル（輝度濃度変換テーブルや目標濃度変換テーブル、以後ＬＵＴと称する）で所望のデータに加工された後、画像形成装置の特性を補正するγ変換テーブル（γ−ＬＵＴ）で変換される。所定の誤差拡散やスクリーン処理若しくはＰＷＭ等の処理を施された後、レーザ駆動部５へ画像データが転送される。
【００３９】
図２は、感光体１が同一膜厚の状態における２５６階調と、２５６階調の画像データを横軸に、６００線と２００線の反射濃度を縦軸にプロットしたグラフである。これより、線数の低いほうが画像データに対する濃度の変化率が安定に緩やかであることがわかる。なお、６００線とは、主走査の画素密度が１ｉｎｃｈあたり、６００画素（ライン）の書き込み密度（解像度）であることを示す。例えば、１６６線と２６８線のイメージを図８に示す。
【００４０】
これに対し、感光体の膜厚が厚い場合と薄い場合ではドットの大きさ、及びドット再現性、濃度が異なってくる。感光体の膜厚が異なる場合の静電潜像の模式図を図３に示す。図３は縦軸に感光体電位、横軸に感光体の表面上での位置を表わし、実線は膜厚が２７μｍであるときの静電潜像の電位分布を示し、破線は膜厚が１４μｍであるときの静電潜像の電位分布を示している。膜厚が厚いとき（図では感光体膜厚２７μｍ）は静電潜像が浅くて広い、即ち、ドット再現性が安定しない、膜厚が薄い場合（図では感光体膜厚１４μｍ）には静電潜像が深くて狭い、即ち、ドット再現性が安定する。つまり、従来技術の手法を用いて出力濃度を安定させても、感光体の膜厚に応じてドットの再現性（ドットゲイン）、中間調域の濃度と粒状感などが異なってくる。
【００４１】
感光体の膜厚が薄くなるにつれ、濃度変動（特に中間調の濃度域が変動）とドットの再現性が変化してしまう。図９に示すように、複写前は潜像部が目立たず、複写後に潜像部が浮かび上がる地紋画像を形成しようとしても、ドット再現性が変化したままであればうまくいかない。例えば、地紋内の潜像部が複写前から浮かび上がってしまったり、複写後に浮かび上がらなかったりと、適切な潜像を形成することができなくなってしまう。
【００４２】
そこで、本実施の形態では、感光体の膜厚の変化を検出する検出手段として帯電制御ユニットＳ１を用いる。帯電ローラ２を用いた場合、所定のバイアスを印加した際に生じる直流電流成分と感光体の膜厚（容量）には一対一の相関関係があることを利用する。例えば、図５のような相関関係を用いて、直流電流値（絶対値）が２７．１μＡの時は残膜厚が３０μｍ、３４．９μＡの時は残膜厚が２３μｍ、４７．７μＡの時は残膜厚が１６μｍと、残膜厚を求めることができる。図５のような相関関係を示すデータを、中央制御ユニット５０又は帯電制御ユニットＳ１に格納すればよい。以上のように、感光体に流れ込む直流電流を検知することで、感光体の膜厚を知ることができる。中央制御ユニット５０は、検出した膜厚結果に応じて、地紋を形成する際の線数(解像度)を変更する。
【００４３】
［地紋画像に対する制御］
ある画像信号において、地紋画像が含まれている場合、地紋画像（特に背景部）のみを限定して線数を変更する。地紋画像が含まれている場合の地紋画像の線数変更までの過程を、図６、図７に示す。
【００４４】
画像情報に地紋画像が含まれていると判断された場合に、図６のフローチャートに示すプログラムを起動する。まず環境センサ４２によって検知した環境情報を取得する（Ｓ６０１）。次に、像担持体の特性変化として、帯電制御ユニットＳ１を利用して感光体の膜厚を検出する（Ｓ６０２）。そして、夫々の検出結果を中央制御ユニット５０内に格納されているデータベースと照合する（Ｓ６０３）。データベースと照合し、地紋画像の形成条件（例えば線数）を決定する（Ｓ６０４）。以上のように、地紋画像の形成条件を決定し、画像形成を開始する。
【００４５】
予め感光体の膜厚などの画像形成手段の状態に対する各線数の階調濃度、ドット再現性をデータベース化しておき、地紋画像を形成するのに最適な画像形成条件を予測算出する。なお、画像形成手段の状態とは、帯電電位、露光電位、現像電位、現像バイアスなど現像する際に画像濃度に影響する要素を指す。
【００４６】
例えば、感光体の膜厚が２３μｍ以上（直流電流値の絶対値が３４．９μＡ以下）の時は１００線で、地紋画像の背景部を形成すればよい。また、感光体の膜厚が１６μｍ以上、２３μｍ未満の（直流電流値の絶対値が３４．９μＡ〜４７．７μＡの間）時は１４０線で地紋画像の背景部を形成すればよい。更に、膜厚が１６μｍ未満（直流電流値の４７．７μＡ超）の時には１７０線で地紋画像の背景部を形成すればよい。なお、潜像部の線数は８０線とする。
【００４７】
図４に、感光体の膜厚が２７μｍ（２３〜３０μｍの代表値）での１００線の画像の反射濃度と、２０μｍ（１６〜２３μｍの代表値）での１４０線の画像の反射濃度と、１４μｍ（１６μｍ未満の代表値）での１７０線の画像の反射濃度を示す。この図から、感光体の膜厚が薄くなるにつれ、ドット再現性が向上するため、線数を大きくすれば、画像データに対する反射濃度の変化率を一定にできることがわかる。これによって、地紋画像の潜像部を狙いどおりの濃度とドット再現性にて形成できる。
【００４８】
中央制御ユニット５０は、図７に示すフローチャートにしたがって、地紋の画像形成条件を決定する。図７は、中央制御ユニット５０が行なう、地紋画像形成条件の調整処理の一例を示すフローチャートである。
【００４９】
まず、ステップＳ７０１において、各種の検出手段から検出結果を取得する。次に、ステップＳ７０２において、環境センサ４２からの出力を参照し、湿度が第１の所定値（ここでは８０％）以上か否かを判定する。湿度が８０％以上と判定した場合には、ステップＳ７０３に進み、Ｈ／Ｈ（High Humidity）用のデータベースを参照する。湿度が８０％以上ではない判定した場合には、ステップＳ７０４に進み、Ｌ／Ｈ（Low Humidity）用のデータベースを参照する。
【００５０】
次にステップＳ７０５、７０６では、感光体１（図中Ｄｒ）の膜厚が、第２の所定値(ここでは２０μｍ)以上か否かを、帯電制御ユニットＳ１からの検出結果に基づいて判定する。ステップＳ７０５で、膜厚が２０μｍ未満と判定すると、ステップＳ７０７に進み、膜厚２０μｍ未満用のデータベースを参照し、更に、ステップＳ７０８において線数＝Ａに決定する。ステップＳ７０５で、感光体１の膜厚が２０μｍ以上と判定すれば、ステップＳ７０９に進み、膜厚２０μｍ以上用のデータベースを参照し、更に、ステップＳ７１０において線数＝Ｂに決定する。
【００５１】
一方、ステップＳ７０６において、膜厚が２０μｍ未満と判定すると、ステップＳ７１１に進み、膜厚２０μｍ未満用のデータベースを参照し、更に、ステップＳ７１２において線数＝Ｃに決定する。ステップＳ７０６で、感光体１の膜厚が２０μｍより大きいと判定すれば、ステップＳ７１３に進み、膜厚２０μｍ以上用のデータベースを参照し、更に、ステップＳ７０８において線数＝Ｄに決定する。
装置が動作している環境の湿度が高くなるほど、中間調の濃度域が低めになりドット再現性も低下する傾向にある。そのため、Ｈ/Ｈ環境とＬ/Ｈ環境においてデータベースを選択する構成とする。特に、湿度が高いＨ/Ｈ環境の線数を低めに設定し、Ｌ/Ｈ環境における線数をＨ/Ｈ環境に比べ高めに設定する。具体的には、Ｈ/Ｈ環境用のデータベースから選択される感光体の膜厚ちがいである背景部の線数Ａと線数Ｂはそれぞれ、線数Ａが１５０線、線数Ｂは１００線とした。また、Ｌ/Ｈ環境用のデータベースから選択される感光体の膜厚ちがいでの背景部の線数Ｃが２００線、線数Ｄは１６０線とした。また、このときの潜像部の線数は、３０〜９０線が適切であった。なお、ここで示した線数の選択値は、感光体の特性はもちろん、現像剤の特性などに大きく左右されるものである。具体的な線数に関しては、一例を示したにすぎず、装置構成によっては、線数の関係が本例と異なることもありえる。
【００５２】
通常、線数を変更してしまうと、画質が変わってしまうが、地紋画像に求められる主目的は画質ではなく、複写防止のための潜像画像（潜像部と背景部）を確実に形成することが第一目的であるので、線数を変更しても支障はない。
【００５３】
以上のように、感光体の膜厚に応じて、地紋画像（特に背景部）の線数を変更することによって、地紋画像を適正濃度にて形成できるので、地紋用キャリブレーションを簡単に行うことができ、適切な濃度の地紋画像の潜像と背景を形成できる。
【００５４】
なお、画像データの取り扱いは、スクリーン処理やＰＷＭなど種々の画像処理においても、同様の効果があるのは勿論である。
【００５５】
（第２実施形態）
第１実施形態では、感光体の膜厚を検知した検出結果と予め登録してあるデータベースを照合し、地紋画像形成の線数（特に背景部）を選択した。これに対し、本実施の形態においては、感光体の膜厚検知に加え、現像剤の劣化状態を検出する。ここでは、トナー補給制御ユニットＳ３が、現像スリーブ６ａの回転時間又は回転数を積算し、その積算値を用いて、現像剤の劣化状態を検出する。初期の現像剤と何万枚か画像形成を行った現像剤では、トナーに添加された外添剤の状態や量、キャリアの帯電特性が変化してくるため、同じ現像コントラスト電位を印加しても現像される状態が異なり、ドット再現性や現像性が変わる。そこで、感光体の膜厚に加え、現像スリーブの積算回転時間や積算回転数から現像剤の状態を検出し、予め登録してあるデータベースから地紋画像形成の線数（特に背景部）を選択する。現像剤の状態を考慮することによって、地紋画像の潜像部と背景部を適切濃度にて形成できる。
【００５６】
（他の実施形態）
上記第１実施形態では、感光体に流れ込む電流から膜厚を検出したが、例えば感光体の回転数、あるいは画像形成枚数をカウントし、感光層膜の削れ量を予測して膜厚を算出することも可能である。
【００５７】
第２実施形態では、現像スリーブ６ａの回転時間を用いて現像剤の劣化状態を検出したが、トナー消費量を積算して、その値から現像剤の劣化状態を検出してもよいし、画像形成枚数をカウントして、そのトータル枚数から現像剤の劣化状態を求めてもよい。
【００５８】
第１、第２実施形態においては、地紋画像の画像形成条件として線数を変更したが、線数ではなく、ドットの大きさ、又は、画像濃度を変更しても同様の効果を得ることができる。ドットの大きさ、線数、画像濃度の変更の制御は、独立、あるいは併用して変更してもよい。
【００５９】
また、環境（温度・湿度）によって画像濃度、階調性は、変動するので、環境を検出する手段を具備させ、環境毎の地紋画像条件変更データベースを作っておけば、より適切な地紋画像条件を決定することができる。
【００６０】
本実施形態では、地紋画像の線数、変更は膜厚の値に応じて３段階に変更、制御する例を示したが、２段階に変更しても良いし、４段階以上に変更してもよい。更には、無段階（連続的）に解像度（線数）を変更、制御しても構わない。なお、感光体の膜厚、現像剤の状態、及び線数の値はこれに限定されるものではなく、適宜、画像形成装置の形態、特性に応じて最適値が異なるのは勿論である。
【００６１】
上記の実施形態によれば、画像形成のエンジン特性に大きく影響するドラムの膜厚、現像剤の状態、装置の設置環境を検知し、検知結果に基づいて、地紋の線数、若しくは、ドットの大きさ、濃度を変更する。これにより、地紋用のキャリブレーションを自動かつ効率的に行うことができる。
【００６２】
その結果、プリンタによるオンデマンド地紋出力法における複写抑止地紋を用いて、地紋を印刷するユーザにその手段を提供するなら、プリンタによるオンデマンド地紋出力法をより多くのプリンタに汎用的に適用することができるというメリットがある。
【００６３】
以上、本発明の実施形態として、レーザビームプリンタについて説明したが、本発明は、複数の機器から構成されるシステムに適用しても良い。
【００６４】
なお、本発明は、前述した実施形態の機能を実現する地紋画像を調整するための制御プログラムを、システム或いは装置に直接或いは遠隔から供給し、そのシステム或いは装置が、供給されたプログラムコードを読み出して実行することによっても達成される。したがって、本発明の機能処理をコンピュータで実現するために、コンピュータにインストールされるプログラムコード自体も本発明の技術的範囲に含まれる。
【００６５】
その場合、プログラムの機能を有していれば、オブジェクトコード、インタプリタにより実行されるプログラム、ＯＳに供給するスクリプトデータ等、プログラムの形態を問わない。
【００６６】
プログラムを供給するための記録媒体としては、例えば、フロッピー（登録商標）ディスク、ハードディスク、光ディスク、光磁気ディスクがある。また、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６７】
その他、クライアントＰＣのブラウザを用いてインターネットサイトに接続し、本発明に係るプログラムそのもの、若しくは更に自動インストール機能を含むファイルをハードディスク等の記録媒体にダウンロードするという利用方法もある。また、本発明に係るプログラムを構成するプログラムコードを複数のファイルに分割し、それぞれのファイルを異なるホームページからダウンロードすることによっても実現可能である。つまり、本発明の機能処理をコンピュータで実現するためのプログラムを複数のユーザに対してダウンロードさせるＷＷＷサーバも、本発明の範疇に含まれる。  また、本発明に係るプログラムを暗号化してＣＤ−ＲＯＭ等の記憶媒体に格納してユーザに配布してもよい。所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６８】
また、プログラムの指示に基づき、コンピュータ上で稼動しているＯＳなどが、実際の処理の一部又は全部を行ない、その処理によっても前述した実施形態の機能が実現され得る。
【００６９】
さらに、ＰＣの機能拡張ユニットに備わるメモリに本発明に係るプログラムが書き込まれ、そのプログラムに基づき、その機能拡張ユニットに備わるＣＰＵなどが実際の処理の一部又は全部を行なう場合も、本発明の範疇に含まれる。
【産業上の利用可能性】
【００７０】
重要な文書の複写による不正な偽造や情報漏洩を抑止する目的で文書の背景に複写抑止地紋を合成し出力する画像形成装置を用いる産業において、利用の可能性がある。
【図面の簡単な説明】
【００７１】
【図１】本発明の第１実施形態としての画像形成装置の概略構成図である。
【図２】感光体の膜厚２７μｍ時の６００線時と２００線時の画像データに対する反射濃度の関係を示す図である。
【図３】感光体膜厚２７μｍ時と１４μｍ時の静電潜像の形状（孤立ドット）を示す図である。
【図４】実施の形態１における各感光体膜厚、各画像処理法における画像データに対する反射濃度の関係を示す図である。
【図５】感光体に流れ込む直流電流値と感光体膜厚の関係を示す図である。
【図６】地紋画像の形成条件を決定するまでのフローチャートである。
【図７】地紋画像の形成条件を決定するまでのフローチャートである。
【図８】線数を変更した時のドットイメージを示す図である。
【図９】地紋画像の一例を示す図である。
【符号の説明】
【００７２】
１  感光体
２  帯電ローラ
５  レーザ光
６  現像器
６ａ現像スリーブ
７  転写ローラ
４２  環境センサ
５０  中央制御ユニット
【図１】
0005311777.tif 000002
【図２】
0005311777.tif 000003
【図３】
0005311777.tif 000004
【図４】
0005311777.tif 000005
【図５】
0005311777.tif 000006
【図６】
0005311777.tif 000007
【図７】
0005311777.tif 000008
【図８】
0005311777.tif 000009
【図９】
0005311777.tif 000010